(57)【特許請求の範囲】
【請求項１】
複数種のセグメント形式の放送ＴＳについて所定のセグメント数以下で任意に連結し合成した連結合成ＴＳをＳＴＬ／ＴＴＬ回線にて送信するＳＴＬ／ＴＴＬ回線用送信装置であって、
当該複数種のセグメント形式の放送ＴＳのうち所定のセグメント形式の放送ＴＳのＴＳＰカウンタ値を監視し、該放送ＴＳの伝送パラメータに応じて予め定められたＴＳＰカウンタ値のヌルパケットを削除することにより当該放送ＴＳについてデータ圧縮を施した圧縮放送ＴＳを生成するデータ圧縮手段と、
前記圧縮放送ＴＳと、当該複数種のセグメント形式の放送ＴＳのうち当該データ圧縮を施していない放送ＴＳとを連結し、連結合成ＴＳを生成する合成手段と、
前記連結合成ＴＳに対して予め定められた伝送路符号化を施してＳＴＬ／ＴＴＬ回線にて外部に送信する送信手段とを備え、
当該削除する前記予め定められたＴＳＰカウンタ値のヌルパケットは、前記伝送パラメータに応じて前記放送ＴＳの遅延量が最小となるように予め定められていることを特徴とする、ＳＴＬ／ＴＴＬ回線用送信装置。
【請求項２】
前記合成手段は、当該複数種のセグメント形式の放送ＴＳを任意に連結することによるセグメント構成によらず、前記連結合成ＴＳの伝送速度を前記ＳＴＬ／ＴＴＬ回線で伝送可能な一定の伝送速度となるようにヌルパケットを挿入する手段を備えることを特徴とする、請求項１に記載のＳＴＬ／ＴＴＬ回線用送信装置。
【請求項３】
複数種のセグメント形式の放送ＴＳについて所定のセグメント数以下で任意に連結し合成した連結合成ＴＳをＳＴＬ／ＴＴＬ回線にて受信するＳＴＬ／ＴＴＬ回線用受信装置であって、
送信側で、当該複数種のセグメント形式の放送ＴＳのうち所定のセグメント形式の放送ＴＳについて該放送ＴＳの伝送パラメータに応じて予め定められたＴＳＰカウンタ値のヌルパケットを削除することによりデータ圧縮が施されており、
前記圧縮放送ＴＳと、当該複数種のセグメント形式の放送ＴＳのうち当該データ圧縮を施していない放送ＴＳとを連結し合成した連結合成ＴＳを当該複数種のセグメント形式の放送ＴＳへと分離する分離手段と、
前記圧縮放送ＴＳのＴＳＰカウンタ値を監視し、該圧縮放送ＴＳの伝送パラメータに応じて予め定められたＴＳＰカウンタ値のヌルパケットを挿入することにより前記データ圧縮が施された圧縮放送ＴＳについてデータ伸長を施し、前記所定のセグメント形式の放送ＴＳを復元するデータ伸長手段とを備え、
当該削除する前記予め定められたＴＳＰカウンタ値のヌルパケットは、前記伝送パラメータに応じて前記放送ＴＳの遅延量が最小となるように予め定められていることを特徴とする、ＳＴＬ／ＴＴＬ回線用受信装置。
【請求項４】
前記分離手段は、送信側にて前記ＳＴＬ／ＴＴＬ回線で伝送可能な一定の伝送速度となるように挿入されたヌルパケットを削除する手段を備えることを特徴とする、請求項３に記載のＳＴＬ／ＴＴＬ回線用受信装置。
【発明の詳細な説明】
【技術分野】
【０００１】
本発明は、ＶＨＦ‐Ｌｏｗ帯を利用したマルチメディア放送などのセグメント連結方式によるデジタル放送信号を、演奏所から送信所や、送信所から送信所へ伝送するＳＴＬ（Studio Transmitter Link）／ＴＴＬ（Transmitter to Transmitter Link）回線用の伝送信号である放送トランスポートストリーム（以下、「放送ＴＳ」と称する）の信号フォーマットの形式で送信するＳＴＬ／ＴＴＬ回線用送信装置及びその受信装置に関する。
【背景技術】
【０００２】
ＳＴＬ／ＴＴＬ回線用の放送ＴＳの伝送の際のフォーマットとしては、地上デジタルテレビジョン放送においては、ＡＲＩＢ標準規格ＡＲＩＢ ＳＴＤ‐Ｂ３１の付属資料の第５章に記載のような放送ＴＳによるフォーマットや、セグメント連結伝送方式による地上マルチメディア放送においては、ＡＲＩＢ標準規格ＡＲＩＢ ＳＴＤ‐Ｂ４６の付属資料の第５章に記載のような放送ＴＳと１２セグメント形式の信号と１セグメント形式の信号を連結し合成した放送ＴＳ（以下、「連結合成ＴＳ」と称する）による信号フォーマットが知られている。
【０００３】
従来技術として、ＳＴＬ／ＴＴＬ回線用の放送ＴＳに関して、放送ＴＳのダミーバイト部の情報を変更し、入れ替えることによって、放送ＴＳの有効利用を図る伝送システムに関する技術が開示されている（例えば、特許文献１参照）。また、放送ＴＳのヌルパケットを利用し情報を伝送する地上デジタルテレビジョン放送ネットワークシステムが開示されている（例えば、特許文献２参照）。
【先行技術文献】
【特許文献】
【０００４】
【特許文献１】特開２０１０−２５２１３６号公報
【特許文献２】特開２０１１−１５０６０号公報
【発明の概要】
【発明が解決しようとする課題】
【０００５】
ＶＨＦ‐Ｌｏｗ帯を利用したセグメント連結伝送方式によるマルチメディア放送では、１セグメント形式もしくは３セグメント形式の信号を複数個（最大１４セグメント）連結した信号を、ＳＴＬ回線やＴＴＬ回線用に変調して伝送する。
【０００６】
しかし、ＡＲＩＢ ＳＴＤ‐Ｂ３１は、地上デジタルテレビジョン放送用に特化されているため、１３セグメント固定のセグメント数の放送ＴＳのフォーマット（伝送速度３２．５１Ｍｂｐｓ（＝５１２／６３×４Ｍｂｐｓ））の信号しか伝送できない。
【０００７】
一方、ＡＲＩＢ ＳＴＤ‐Ｂ４６は、ＶＨＦ‐Ｈｉｇｈ帯を利用したセグメント連結伝送方式によるマルチメディア放送用の信号フォーマットを規定しており、セグメント連結伝送用に拡張されているが、２個の１３セグメント形式の信号と７個の１セグメント形式の信号の合計３３セグメントの信号の伝送用に考えられた連結合成ＴＳの信号フォーマットである。１３セグメント形式の放送ＴＳの伝送速度は３２．５１Ｍｂｐｓ（＝５１２／６３×４Ｍｂｐｓ）、１セグメント形式の放送ＴＳの伝送速度は２．０３Ｍｂｐｓ（＝５１２／６３／４Ｍｂｐｓ）であり、これらの放送ＴＳを合成して連結合成ＴＳを生成するが、その伝送速度は７９．２４Ｍｂｐｓ（＝５１２／６３×（４×２＋７／４）Ｍｂｐｓ）である。ＶＨＦ‐Ｈｉｇｈ帯を利用したセグメント連結伝送方式によるマルチメディア放送では、主に、ＳＴＬ／ＴＴＬ回線の代わりに衛星配信とすることが意図されている。
【０００８】
ＶＨＦ‐Ｌｏｗ帯を利用したセグメント連結伝送方式によるマルチメディア放送は、１セグメント形式もしくは３セグメント形式で構成され、１４セグメント以下のセグメント数で各セグメント形式の個数を任意に連結することが考えられている。１セグメント形式の放送ＴＳの伝送速度は２．０３Ｍｂｐｓ（＝５１２／６３／４Ｍｂｐｓ）、３セグメント形式の放送ＴＳの伝送速度は８．１２Ｍｂｐｓ（＝５１２／６３Ｍｂｐｓ）である。そのまま放送ＴＳを連結し合成した場合、１セグメント形式が１４個の場合は連結合成ＴＳの伝送速度は２８．４４Ｍｂｐｓ（＝５１２／６３／４×１４ Ｍｂｐｓ）となるが、３セグメント形式が４個、１セグメント形式が２個の合計１４個で構成された場合は、その連結合成ＴＳの伝送速度は３６．５７Ｍｂｐｓ（＝５１２／６３×４＋５１２／６３／４×１ Ｍｂｐｓ）となる。したがって、連結し合成された連結合成ＴＳの伝送速度がセグメント構成によって異なり、且つ地上デジタルテレビジョン放送における伝送速度３２．５１Ｍｂｐｓを超えることとなり、地上デジタルテレビジョン放送と同様のＳＴＬ／ＴＴＬ回線で伝送することが困難となる。
【０００９】
一方、特許文献１の技術では、放送ＴＳのダミーバイト部の情報を変更し、入れ替えることによって放送ＴＳの有効利用を図ることが可能となるが、ＶＨＦ‐Ｌｏｗ帯を利用したセグメント連結伝送方式によるマルチメディア放送において、連結合成ＴＳの伝送速度がセグメント構成によって異なることによる地上デジタルテレビジョン放送と同様のＳＴＬ／ＴＴＬ回線への利用の問題について解決する手段を提供していない。
【００１０】
また、特許文献２の技術では、放送ＴＳのヌルパケットを利用し情報を伝送する点で、放送ＴＳの有効利用を図ることが可能となるが、セグメント連結用放送ＴＳを考慮したものではなく、連結合成ＴＳの伝送速度がセグメント構成によって異なることによる地上デジタルテレビジョン放送と同様のＳＴＬ／ＴＴＬ回線への利用の問題について解決する手段を提供していない。
【００１１】
本発明は、上述の問題を鑑みて為されたものであり、複数種のセグメント形式の放送ＴＳについて所定のセグメント数以下で任意に連結し合成した連結合成ＴＳをＳＴＬ／ＴＴＬ回線にて送信するＳＴＬ／ＴＴＬ回線用送信装置及びその受信装置を提供することを目的とする。
【課題を解決するための手段】
【００１２】
前述したように、ＶＨＦ‐Ｌｏｗ帯マルチメディア放送は、６ＭＨｚの帯域幅で、最大１４セグメントで構成されることが考えられている。この放送では、１４セグメント以下のセグメント数で各セグメント形式の個数を任意に複数連結して放送される。１セグメント形式の放送ＴＳ（ＴＳ：トランスポートストリーム）の伝送速度は２．０３Ｍｂｐｓ（＝５１２／６３／４Ｍｂｐｓ）、３セグメント形式の放送ＴＳの伝送速度は８．１２Ｍｂｐｓ（＝５１２／６３Ｍｂｐｓ）であり、これらの放送ＴＳをそのまま合成すると、セグメントの構成（１セグメント形式、または３セグメント形式）によって合成された連結合成ＴＳの伝送速度が異なり、且つ地上デジタルテレビジョン放送における伝送速度３２．５１Ｍｂｐｓを超えることになる。
【００１３】
そこで、本発明による一態様のＳＴＬ／ＴＴＬ回線用送信装置では、ＶＨＦ‐Ｌｏｗ帯のマルチメディア放送などのセグメント連結方式によるデジタル放送信号を放送ＴＳの形式で演奏所から送信所（ＳＴＬ）、送信所から送信所（ＴＴＬ）に伝送する際に、８．１２Ｍｂｐｓ（＝５１２／６３Ｍｂｐｓ）の３セグメント形式の放送ＴＳを圧縮・変換して６．１０Ｍｂｐｓ（＝５１２／６３／４×３Ｍｂｐｓ）の放送ＴＳとし、セグメントの構成（１セグメント形式、または３セグメント形式）によらずに、地上デジタルテレビジョン放送と同様のＳＴＬ／ＴＴＬ回線を利用できる一定速度の連結合成ＴＳを伝送信号として生成して送信する。即ち、本発明の一態様によるＳＴＬ／ＴＴＬ回線用送信装置は、セグメント連結時の放送ＴＳが地上デジタルテレビジョン放送の放送ＴＳの伝送速度である３２．５１Ｍｂｐｓ（＝５１２／６３×４Ｍｂｐｓ）以下の伝送速度となるように当該デジタル放送信号の放送ＴＳを圧縮し、ヌルパケットを追加するレート調整により伝送速度として３２．５１Ｍｂｐｓの連結合成ＴＳを生成することで、地上デジタルテレビジョン放送と同様のＳＴＬ／ＴＴＬ回線を利用できるようにする。
【００１４】
本発明に係る３セグメント形式の放送ＴＳの圧縮・変換に関して、ＳＴＬ／ＴＴＬ回線用送信装置は、３セグメント形式（伝送速度８．１２Ｍｂｐｓ（＝５１２／６３Ｍｂｐｓ））の放送ＴＳに含まれるヌルパケットを削除し、６．１０Ｍｂｐｓ（＝５１２／６３／４×３Ｍｂｐｓ）に圧縮した放送ＴＳへと変換する。これにより、任意に連結されるセグメントの構成のうち放送ＴＳ連結後の伝送速度が最大となる組み合わせとして３セグメント形式が４個と１セグメント型式（伝送速度２．０３Ｍｂｐｓ（＝５１２／６３／４Ｍｂｐｓ））が２個からなる１４セグメントで構成された場合でも、放送ＴＳの合計伝送速度は、地上デジタルテレビジョン放送のＳＴＬ／ＴＴＬ回線で伝送可能な放送ＴＳ以下（３２．５１Ｍｂｐｓ（＝５１２／６３×４Ｍｂｐｓ）以下）の２８．４４Ｍｂｐｓ（＝５１２／６３×３／４×４＋５１２／６３／４×２ Ｍｂｐｓ）とすることができる。その後、ヌルパケットを付加してレート調整を行い地上デジタルテレビジョン放送の放送ＴＳと同じ伝送速度とすることにより、地上デジタルテレビジョン放送のＳＴＬ／ＴＴＬ回線をそのまま利用できるようになる。また、データ圧縮の際に削除するヌルパケットの位置は、所定の伝送パラメータに応じて予め遅延量が最小となるように決定されたものとするのが好適である。
【００１５】
即ち、本発明のＳＴＬ／ＴＴＬ回線用送信装置は、複数種のセグメント形式の放送ＴＳについて所定のセグメント数以下で任意に連結し合成した連結合成ＴＳをＳＴＬ／ＴＴＬ回線にて送信するＳＴＬ／ＴＴＬ回線用送信装置であって、当該複数種のセグメント形式の放送ＴＳのうち所定のセグメント形式の放送ＴＳのＴＳＰカウンタ値を監視し、該放送ＴＳの伝送パラメータに応じて予め定められたＴＳＰカウンタ値のヌルパケットを削除することにより当該放送ＴＳについてデータ圧縮を施した圧縮放送ＴＳを生成するデータ圧縮手段と、前記圧縮放送ＴＳと、当該複数種のセグメント形式の放送ＴＳのうち当該データ圧縮を施していない放送ＴＳとを連結し、連結合成ＴＳを生成する合成手段と、前記連結合成ＴＳに対して予め定められた伝送路符号化を施してＳＴＬ／ＴＴＬ回線にて外部に送信する送信手段とを備え、当該削除する前記予め定められたＴＳＰカウンタ値のヌルパケットは、前記伝送パラメータに応じて前記放送ＴＳの遅延量が最小となるように予め定められていることを特徴とする。
【００１７】
また、本発明のＳＴＬ／ＴＴＬ回線用送信装置において、前記合成手段は、当該複数種のセグメント形式の放送ＴＳを任意に連結することによるセグメント構成によらず、前記連結合成ＴＳの伝送速度を前記ＳＴＬ／ＴＴＬ回線で伝送可能な一定の伝送速度となるようにヌルパケットを挿入する手段を備えることを特徴とする。
【００１８】
即ち、本発明のＳＴＬ／ＴＴＬ回線用送信装置は、複数種のセグメント形式の放送ＴＳについて所定のセグメント数以下で任意に連結し合成した連結合成ＴＳをＳＴＬ／ＴＴＬ回線にて送信するＳＴＬ／ＴＴＬ回線用送信装置であって、当該複数種のセグメント形式の放送ＴＳのうち所定のセグメント形式の放送ＴＳのＴＳＰカウンタ値を監視し、該放送ＴＳの伝送パラメータに応じて予め定められたＴＳＰカウンタ値のヌルパケットを削除することにより当該放送ＴＳについてデータ圧縮を施した圧縮放送ＴＳを生成するデータ圧縮手段と、前記圧縮放送ＴＳと、当該複数種のセグメント形式の放送ＴＳのうち当該データ圧縮を施していない放送ＴＳとを連結し、連結合成ＴＳを生成する合成手段と、前記連結合成ＴＳに対して予め定められた伝送路符号化を施してＳＴＬ／ＴＴＬ回線にて外部に送信する送信手段とを備え、当該削除する前記予め定められたＴＳＰカウンタ値のヌルパケットは、前記伝送パラメータに応じて前記放送ＴＳの遅延量が最小となるように予め定められていることを特徴とする。
【００２０】
また、本発明のＳＴＬ／ＴＴＬ回線用受信装置において、前記分離手段は、送信側にて前記ＳＴＬ／ＴＴＬ回線で伝送可能な一定の伝送速度となるように挿入されたヌルパケットを削除する手段を備えることを特徴とする。
【発明の効果】
【００２１】
本発明によれば、複数種のセグメント形式の放送ＴＳについて所定のセグメント数以下で任意に連結し合成した伝送信号、例えば１４個以下のセグメントで連結されたマルチメディア放送の伝送信号において、セグメント構成（１セグメント形式か３セグメント形式）によらず、所定の伝送速度（例えば３２．５１Ｍｂｐｓ（＝５１２／６３×４Ｍｂｐｓ））以下で連結合成ＴＳを構成することができるので、地上デジタルテレビジョン放送と同様のＳＴＬ／ＴＴＬ回線を利用することができるようになる。
【図面の簡単な説明】
【００２２】
【図１】本発明による第１実施形態のＳＴＬ／ＴＴＬ回線用送信装置の構成を示すブロック図である。
【図２】本発明による第１実施形態のＳＴＬ／ＴＴＬ回線用送信装置におけるデータ圧縮部の構成を示すブロック図である。
【図３】本発明による第１実施形態のＳＴＬ／ＴＴＬ回線用送信装置に係る各ＴＳＰのダミーバイト部分に含まれる付加情報の多重位置を示す図である。
【図４】本発明による第１実施形態のＳＴＬ／ＴＴＬ回線用送信装置に係る付加情報の種類の一例を示す図である。
【図５】本発明による第１実施形態のＳＴＬ／ＴＴＬ回線用送信装置に係る１多重フレームに含まれるＴＳＰ数を示す表である。
【図６】本発明による第１実施形態のＳＴＬ／ＴＴＬ回線用送信装置に係るモード１、ガードインターバル１／４、Ａ階層ＱＰＳＫ（符号化率２／３）、Ｂ階層 １６ＱＡＭ（符号化率１／２）の場合の放送ＴＳパケット配置を示す図である。
【図７】本発明による第１実施形態のＳＴＬ／ＴＴＬ回線用送信装置におけるモード１、ガードインターバル１／４、Ａ階層ＱＰＳＫ（符号化率２／３）、Ｂ階層１６ＱＡＭ（符号化率１／２）における抽出ＴＳＰテーブルを示す表である。
【図８】本発明による第１実施形態のＳＴＬ／ＴＴＬ回線用受信装置の構成を示すブロック図である。
【図９】本発明による第１実施形態のＳＴＬ／ＴＴＬ回線用受信装置におけるデータ伸長部の構成を示すブロック図である。
【図１０】本発明による第２実施形態のＳＴＬ／ＴＴＬ回線用送信装置におけるモード３、ガードインターバル１／８の場合の、ＴＳＰカウンタ値が０から３９の放送ＴＳパケット配置を示す図である。
【発明を実施するための形態】
【００２３】
以下、図面を参照して、本発明による第１実施形態のＳＴＬ／ＴＴＬ回線用送信装置及びＳＴＬ／ＴＴＬ回線用受信装置について順に説明する。
【００２４】
〔第１実施形態〕
（ＳＴＬ／ＴＴＬ回線用送信装置）
図１は、本発明による第１実施形態のＳＴＬ／ＴＴＬ回線用送信装置１の構成を示すブロック図である。ＳＴＬ／ＴＴＬ回線用送信装置１は、ＶＨＦ‐Ｌｏｗ帯のマルチメディア放送などのセグメント連結方式によるデジタル放送信号を放送ＴＳの形式で演奏所から送信所（ＳＴＬ）、送信所から送信所（ＴＴＬ）に伝送する際に、所定数の３セグメント形式の放送ＴＳと所定数の１セグメント形式の放送ＴＳとを多重連結して合計１４セグメントの連結合成ＴＳを生成して送信するための装置であり、それぞれの３セグメント形式の放送ＴＳに対して設けられるデータ圧縮部２と、それぞれのデータ圧縮部２から送出される圧縮後の放送ＴＳ（以下、「圧縮放送ＴＳ」とも称する）及びそれぞれの１セグメント形式の放送ＴＳを連結して合成した連結合成ＴＳを生成する合成部３と、ＳＴＬ／ＴＴＬ用伝送路符号化部４と、ＲＦ（Radio Frequency）送信部５とを備える。
【００２５】
尚、本実施形態では、放送ＴＳの伝送速度の合計が最も大きくなる構成、つまり、３セグメント形式の放送トランスポートストリーム（以下、放送ＴＳ）を４個、１セグメント形式の放送ＴＳを２個（合計１４セグメント）で構成されたＶＨＦ‐Ｌｏｗ帯マルチメディア放送の連結合成ＴＳを地上デジタルテレビジョン放送のＳＴＬ／ＴＴＬの１回線で伝送する例について説明する。
【００２６】
図１に示すように、まず、ＳＴＬ／ＴＴＬ回線用送信装置１へ３セグメント形式の放送ＴＳが４個、１セグメント形式の放送ＴＳが２個入力される。３セグメント形式の放送ＴＳは８．１２Ｍｂｐｓ（＝５１２／６３Ｍｂｐｓ）、１セグメント形式の放送ＴＳは２．０３Ｍｂｐｓ（＝５１２／６３／４Ｍｂｐｓ）の伝送速度をもつ。入力された放送ＴＳのうち、３セグメント形式のものはそれぞれデータ圧縮部２へ入力される。１セグメント形式のものは直接、合成部３へ入力される。
【００２７】
データ圧縮部２は、８．１２Ｍｂｐｓ（＝５１２／６３Ｍｂｐｓ）の放送ＴＳを６．１０Ｍｂｐｓ（＝５１２／６３／４×３Ｍｂｐｓ）の圧縮放送ＴＳにデータ圧縮を行い、合成部３に出力する。
【００２８】
合成部３は、入力された４個の３セグメント形式の圧縮放送ＴＳ及び２個の１セグメント形式の放送ＴＳを合成し、ヌルパケットを追加するレート調整により一定の伝送速度を持つ１個の連結合成ＴＳを生成して、ＳＴＬ／ＴＴＬ用伝送路符号化部４に出力する。本実施形態の場合、放送ＴＳ及び圧縮放送ＴＳの合計伝送速度は、２８．４４Ｍｂｐｓ（＝５１２／６３／４×（３×４＋２）Ｍｂｐｓ）となる。そこで、７個のＴＳＰごとに１個のヌルパケットを追加することで３２．５１Ｍｂｐｓ（＝５１２／６３×４Ｍｂｐｓ）の一定の伝送速度を持つ１個の連結合成ＴＳが合成部３から出力される。
【００２９】
ＳＴＬ／ＴＴＬ用伝送路符号化部４は、この連結合成ＴＳに対して所定の伝送路符号化（例えばＡＲＩＢ  ＳＴＤ‐Ｂ３１と同様）を施してＩＦ（Intermediate Frequency）信号を生成し、ＲＦ送信部５に送出する。
【００３０】
ＲＦ送信部５は、伝送路符号化を施した連結合成ＴＳのＩＦ信号を予め定められた周波数のＲＦ信号に変換して放送波を生成し、外部に送出する。
【００３１】
図２は、本実施形態のＳＴＬ／ＴＴＬ回線用送信装置１におけるデータ圧縮部２の構成を示すブロック図である。データ圧縮部２は、ＴＳＰバッファ６と、付加情報抽出部７と、抽出ＴＳＰテーブル選択制御部８と、抽出ＴＳＰテーブル格納部８ａと、ＴＳＰ抽出部９とを備える。３セグメント形式の放送ＴＳがそれぞれＴＳＰバッファ６及び付加情報抽出部７に入力される。
【００３２】
ＴＳＰバッファ６は、入力された３セグメント形式の放送ＴＳにおける放送ＴＳパケット（以下、「ＴＳＰ」と称する）を一時格納する機能を有し、後述するＴＳＰ抽出部９の制御により所定のＴＳＰカウンタ値を有するＴＳＰが読み出される。
【００３３】
付加情報抽出部７は、放送ＴＳの無効階層ＴＳＰにおけるＩＩＰ（ISDB-T Information Packet）や各ＴＳＰのダミーバイト部分に含まれる付加情報を抽出し、付加情報に含まれる所定の伝送パラメータについては抽出ＴＳＰテーブル選択制御部８に送出し、付加情報に含まれるＴＳＰカウンタ値についてはＴＳＰ抽出部９に送出する。ここで、付加情報抽出部７は、当該放送ＴＳについて、一旦、ＩＩＰから伝送パラメータを抽出して抽出ＴＳＰテーブル選択制御部８に送出した際には、各ＴＳＰのダミーバイト部分に含まれるＴＳＰカウンタ値のみを抽出してＴＳＰ抽出部９に送出すればよい。
【００３４】
尚、地上デジタルテレビジョン放送、及びＶＨＦ‐Ｈｉｇｈ帯を利用したマルチメディア放送の場合、放送ＴＳはＡＲＩＢ ＳＴＤ‐Ｂ３１の付属資料第５章、及びＡＲＩＢ ＳＴＤ‐Ｂ４６の付属資料第５章に規定されるように、放送ＴＳ伝送時に送信所の制御に必要な付加情報（送信制御情報）を多重することが規定されており、伝送パラメータはＩＩＰパケットへ、ＴＳＰカウンタ値等の情報は、図３に示す各ＴＳＰのダミーバイト部分へ多重される。ＶＨＦ‐Ｌｏｗ帯マルチメディア放送の放送ＴＳに多重される付加情報のフォーマットは現段階で規定されていないが、本実施形態においても、地上デジタルテレビジョン放送及びＶＨＦ‐Ｈｉｇｈ帯を利用したマルチメディア放送と同様の方法で伝送パラメータやＴＳＰカウンタ等の付加情報が多重化されているものとする。即ち、本実施形態において、放送ＴＳの信号へ多重する送信制御情報（付加情報）の種類について図４に例示する構成とすることができる。尚、ＡＲＩＢ ＳＴＤ‐Ｂ４６（平成２４年７月３日改定の１．２版）では、図４に示す付加情報における連結送信時のセグメント構成の制御情報（即ち、連結送信制御情報）が、連結合成ＴＳの生成時にて放送ＴＳの無効階層ＴＳＰにおけるＣＩＰ（Connected transmission Information Packet）により付加される。また、連結送信に関する情報であるセグメント形式情報・単位送信波情報などは、連結合成ＴＳの生成時にてダミーバイトに付加される。ただし、本実施形態に係る付加情報は、そのＴＳＰに関する伝送パラメータ及びＴＳＰカウンタ値の情報を含み、伝送パラメータは、そのＴＳＰに関するモード、ガードインターバル比、各階層の変調方式及び符号化率の情報を含むものであればよい。
【００３５】
抽出ＴＳＰテーブル選択制御部８は、伝送パラメータに応じた複数の抽出ＴＳＰテーブルを予め格納している抽出ＴＳＰテーブル格納部８ａから、付加情報抽出部７で抽出された伝送パラメータに合致する抽出ＴＳＰテーブルを選択して読み出し、ＴＳＰ抽出部９に出力する。ここで、抽出ＴＳＰテーブルとは、３セグメント形式の放送ＴＳを構成するＴＳＰのうち、圧縮放送ＴＳとして抽出するＴＳＰのＴＳＰカウンタ値を示す表であり、その作成方法については詳細に後述する。
【００３６】
ＴＳＰ抽出部９は、付加情報抽出部７から出力された付加情報の中にあるＴＳＰカウンタ値と抽出ＴＳＰテーブル選択制御部８から出力された抽出ＴＳＰテーブルを参照して、ＴＳＰバッファ６より圧縮放送ＴＳとして抽出するＴＳＰを読み出して出力する。これにより８．１２Ｍｂｐｓ（＝５１２／６３Ｍｂｐｓ）の放送ＴＳが６．１０Ｍｂｐｓ（＝５１２／６３／４×３Ｍｂｐｓ）の圧縮放送ＴＳへ変換される。
【００３７】
（第１実施形態における伝送パラメータに応じた抽出ＴＳＰテーブルの作成方法）
次に、抽出ＴＳＰテーブル格納部８ａに予め格納しておく伝送パラメータに応じた抽出ＴＳＰテーブルの作成方法について述べる。３セグメント形式のＶＨＦ‐Ｌｏｗ帯マルチメディア放送は１セグメントと２セグメントの２つの階層（Ａ階層・Ｂ階層）で構成されることが予定されている。このため、放送ＴＳはＡ階層のＴＳＰ、Ｂ階層のＴＳＰ、ヌルパケットが連結された多重フレーム構造となる。尚、ヌルパケットは伝送パラメータによらず一定のクロックでＴＳＰのインタフェースをとるために挿入される。多重フレームに含まれるＴＳＰ数はモードとガードインターバル比により異なり、多重フレームにおける各階層のＴＳＰやヌルパケットの配置は、伝送パラメータ（モード、ガードインターバル比、各階層の変調方式、符号化率）により異なる。換言すれば、多重フレームにおける各階層のＴＳＰやヌルパケットの配置は、伝送するコンテンツによらず、伝送パラメータ（モード、ガードインターバル比、各階層の変調方式、符号化率）によって一意に定まる。
【００３８】
ここで、図５に１多重フレームに含まれるＴＳＰ数、図６にモード１、ガードインターバル１／４、Ａ階層ＱＰＳＫ（符号化率２／３）、Ｂ階層１６ＱＡＭ（符号化率１／２）の場合の放送ＴＳパケット配置を示す。放送ＴＳから圧縮放送ＴＳへデータ圧縮するには、１多重フレームに含まれる放送ＴＳパケット数の４分の１のヌルパケットを削除すればよい。遅延を少なくするためには、削除する放送ＴＳパケットを等間隔に分散させるのが望ましいが、Ａ階層及びＢ階層が等間隔で挿入されていないため、本実施形態では、予め、圧縮放送ＴＳとして構成するために抽出するＴＳＰのＴＳＰカウンタ値（即ち、放送ＴＳにおける削除しないＴＳＰのＴＳＰカウンタ値）を示す抽出ＴＳＰテーブルを作成して抽出ＴＳＰテーブル格納部８ａに格納しておくようにする。
【００３９】
まず、削除するＴＳＰとして、遅延量を短くすることを鑑みて、ＴＳＰカウンタ値が４ｎ，４ｎ＋１，４ｎ＋２，４ｎ＋３（ｎ：正の整数）の４通りのうちのいずれかを持つＴＳＰを基準に削除対象のＴＳＰとすることが考えられる。これら４通りの削除基準のＴＳＰカウンタ値のそれぞれについて、削除するＴＳＰカウンタ値のＴＳＰの種類を確認していくことで、４通りの削除基準のうち最小の遅延量となるものを事前に決定することができる。例えば、ＴＳＰカウンタ値が４ｎを持つＴＳＰを基準に削除対象のＴＳＰとするとき、削除する放送ＴＳパケットがヌルパケットではなく、Ａ階層・Ｂ階層のＴＳＰとなるＴＳＰカウンタ値の際には、次のＴＳＰカウンタ値のＴＳＰを削除することとする。さらに続くＴＳＰについてもＡ階層、もしくはＢ階層であった場合、さらに次のＴＳＰカウンタ値のＴＳＰを削除することとする。このようにＴＳＰカウンタ値をシフトすることでヌルパケットのみを削除できるが、シフトするＴＳＰ量の最大値がＴＳバッファの大きさとなり、そのまま遅延量となる。そのため、ＴＳＰカウンタ値が４ｎを持つＴＳＰを基準に削除対象のＴＳＰとしたときの遅延量を把握することができる。同様に、ＴＳＰカウンタ値が４ｎ＋１，４ｎ＋２，４ｎ＋３を持つＴＳＰを基準に削除対象のＴＳＰとしたときのそれぞれの遅延量を把握することができる。したがって、４通りの削除基準のうちシフトするＴＳＰ量が最小となるものを予め選ぶことで、最小の遅延量となる抽出ＴＳＰテーブルを作成することができる。
【００４０】
具体的に、図６（モード１、ガードインターバル１／４、Ａ階層ＱＰＳＫ（符号化率２／３）、Ｂ階層１６ＱＡＭ（符号化率１／２））の放送ＴＳ配置を例にとって説明する。まず、削除するＴＳＰカウンタ値が４ｎ＋１に該当するＴＳＰを基準に削除するとして仮定した場合について考える。図６より、ＴＳＰカウンタ値が１（ｎ＝０）のＴＳＰ種類はヌルパケットなので削除できる。一方、ＴＳＰカウンタ値が１７（ｎ＝４）のＴＳＰ種類はＢ階層のＴＳＰなので削除せずに次のＴＳＰカウンタ値を調べると、ＴＳＰカウンタ値１８のＴＳＰ種類はヌルパケットとなるので、このパケットを削除する。このときシフト量は１パケット分となる。
【００４１】
また、ＴＳＰカウンタ値が３７（ｎ＝９）のＴＳＰ種類はＡ階層のＴＳＰなので、次のＴＳＰを調べると、さらにＢ階層のＴＳＰとなる。そこで、削除するＴＳＰのＴＳＰカウンタ値は３９となり、シフト量は２パケット分となる。このように確認していくと、削除するＴＳＰカウンタ値を４ｎ＋１と仮定した場合、最大シフト量は２パケットとなる。ＴＳバッファ量は２パケットに設定すればよい。削除するＴＳＰカウンタ値を４ｎ、４ｎ＋２としても最大シフト量は２パケットとなる。一方、削除するＴＳＰカウンタ値を４ｎ＋３と仮定すると、最大シフト量は１パケットで済む。従って、この伝送パラメータの削除するＴＳＰカウンタ値は４ｎ＋３を基準とすれば、遅延量を短くすることができる。以上の手順で作成した抽出ＴＳＰテーブルの一例を図７に示す。このように４通りの削除基準を仮定しても最大シフト量が同じ場合、いずれを選択してもよいが、例えばシフトする回数が少ないものを選ぶようにするのが好適である。
【００４２】
以上の要領で、抽出ＴＳＰテーブルを伝送パラメータごと、つまり３（モード）×４（ガードインターバル比）×３（Ａ階層の変調方式・内符号）×３（Ｂ階層の変調方式・内符号）＝１０８個の表を作成することができる。
【００４３】
また、地上デジタルテレビジョン放送、及びＶＨＦ‐Ｈｉｇｈ帯を利用したマルチメディア放送と同じように伝送する場合、放送ＴＳはＡ階層のＴＳＰ、Ｂ階層のＴＳＰ、ヌルパケットの他に、伝送パラメータ等を示すＩＩＰ（ＩＳＤＢ−Ｔ Ｉｎｆｏｒｍａｔｉｏｎ Ｐａｃｋｅｔ）やＡＣデータ、事業者独自のデータを多重する無効階層のＴＳＰが存在する。これらのデータの多重位置は規格では定められていない。そこで、削除する予定のＴＳＰがＩＩＰパケットやＡＣデータ、事業者独自のデータとなる場合は、そのＴＳＰ以降で同じ多重フレーム内のヌルパケットと書き換えることで、付加情報が失われずに伝送できる。尚、運用時にこれらのパケットの多重位置を決める場合は、抽出ＴＳＰテーブルを作成する際にＡ階層やＢ階層と同様に取り扱い、これらを削除しないよう考慮してもよい。
【００４４】
以上のように、本実施形態のＳＴＬ／ＴＴＬ回線用送信装置１は、複数種のセグメント形式の放送ＴＳについて所定のセグメント数以下で任意に連結し合成した連結合成ＴＳをＳＴＬ／ＴＴＬ回線にて送信する際に、当該複数種のセグメント形式の放送ＴＳのうち所定のセグメント形式の放送ＴＳのＴＳＰカウンタ値を監視し、該放送ＴＳの伝送パラメータに応じて予め定められたＴＳＰカウンタ値のヌルパケットを削除することにより当該放送ＴＳについてデータ圧縮を施した圧縮放送ＴＳを生成し、この圧縮放送ＴＳと、当該複数種のセグメント形式の放送ＴＳのうちデータ圧縮を施していない放送ＴＳとを連結し、連結合成ＴＳを生成する。これにより、所定の伝送速度（例えば３２．５１Ｍｂｐｓ（＝５１２／６３×４Ｍｂｐｓ））以下で連結合成ＴＳを構成することができるので、地上デジタルテレビジョン放送と同様のＳＴＬ／ＴＴＬ回線を利用することができるようになる。
【００４５】
（ＳＴＬ／ＴＴＬ回線用受信装置）
図８は、本発明による第１実施形態のＳＴＬ／ＴＴＬ回線用受信装置１０の構成を示すブロック図である。本実施形態のＳＴＬ／ＴＴＬ回線用受信装置１０は、ＲＦ受信部１１と、ＳＴＬ／ＴＴＬ用伝送路復号部１２と、連結合成ＴＳに合成されているそれぞれの３セグメント形式の圧縮放送ＴＳ及びそれぞれの１セグメント形式の放送ＴＳを分離する分離部１３と、それぞれの３セグメント形式の圧縮放送ＴＳに対して設けられるデータ伸長部１４と、を備える。
【００４６】
ＲＦ受信部１１は、ＳＴＬ／ＴＴＬ回線用送信装置１から伝送される連結合成ＴＳのＲＦ信号の放送波を受信し、ＩＦ信号に変換してＳＴＬ／ＴＴＬ用伝送路復号部１２に出力する。
【００４７】
ＳＴＬ／ＴＴＬ用伝送路復号部１２は、ＩＦ信号に変換された連結合成ＴＳの伝送路符号化信号に対して所定の伝送路復号（例えばＡＲＩＢ  ＳＴＤ‐Ｂ３１と同様）を施し、
復調・復号された連結合成ＴＳを分離部１３に出力する。
【００４８】
分離部１３は、まず、ＳＴＬ／ＴＴＬ回線用送信装置１における合成部３で追加されたヌルパケットを削除する。例えば、ＳＴＬ／ＴＴＬ回線用送信装置１における合成部３で多重フレームの先頭から数えて７個のＴＳＰにつき１個のヌルパケットが追加されている場合、分離部１３においても、多重フレームの先頭を検知したのちに、８個のＴＳＰにつき１個のヌルパケットを削除すればよい。
【００４９】
続いて、分離部１３は、ヌルパケットを削除した後、４個の３セグメント形式の圧縮放送ＴＳと２個の１セグメント形式の放送ＴＳに分離し、分離した４個の３セグメント形式の圧縮放送ＴＳの各々については、それぞれのデータ伸張部１４に出力し、分離した２個の１セグメント形式の放送ＴＳについては外部に出力する。
【００５０】
データ伸張部１４は、ＳＴＬ／ＴＴＬ回線用送信装置１におけるデータ圧縮部２と同じ抽出ＴＳＰテーブルを持ち、削除したヌルパケットと同じ位置にヌルパケットを挿入して、３セグメント型式の放送ＴＳとして出力する。
【００５１】
図９は、本実施形態のＳＴＬ／ＴＴＬ回線用受信装置１０におけるデータ伸長部１４の構成を示すブロック図である。データ伸長部１４は、ＴＳＰバッファ１５と、付加情報抽出部１６と、抽出ＴＳＰテーブル選択制御部１７と、抽出ＴＳＰテーブル格納部１７ａと、Ｎｕｌｌ＿ＴＳＰ生成部１８と、ＴＳＰ出力制御部１９とを備える。３セグメント形式の圧縮放送ＴＳがそれぞれＴＳＰバッファ１５と付加情報抽出部１６に入力される。
【００５２】
ＴＳＰバッファ１５は、入力された３セグメント形式の圧縮放送ＴＳにおけるＴＳＰを一時格納する機能を有し、後述するＴＳＰ出力制御部１９の制御により所定のＴＳＰカウンタ値を有するＴＳＰが読み出される。
【００５３】
付加情報抽出部１６は、放送ＴＳの無効階層ＴＳＰにおけるＩＩＰ（ISDB-T Information Packet）や各ＴＳＰのダミーバイト部分に含まれる付加情報を抽出し、付加情報に含まれる所定の伝送パラメータについては抽出ＴＳＰテーブル選択制御部１７に送出し、付加情報に含まれるＴＳＰカウンタ値についてはＮｕｌｌ＿ＴＳＰ生成部１８及びＴＳＰ出力制御部１９に送出する。ここで、付加情報抽出部１６は、当該圧縮放送ＴＳについて、一旦、ＩＩＰから伝送パラメータを抽出して抽出ＴＳＰテーブル選択制御部１９に送出した際には、各ＴＳＰのダミーバイト部分に含まれるＴＳＰカウンタ値のみを抽出してＮｕｌｌ＿ＴＳＰ生成部１８及びＴＳＰ出力制御部１９に送出すればよい。
【００５４】
抽出ＴＳＰテーブル選択制御部１７は、ＳＴＬ／ＴＴＬ回線用送信装置１におけるデータ圧縮部２と同じ伝送パラメータに応じた複数の抽出ＴＳＰテーブルを予め格納している抽出ＴＳＰテーブル格納部１７ａから、付加情報抽出部１６で抽出された伝送パラメータに合致する抽出ＴＳＰテーブルを選択して読み出し、Ｎｕｌｌ＿ＴＳＰ生成部１８に出力する。
【００５５】
Ｎｕｌｌ＿ＴＳＰ生成部１８は、付加情報抽出部１６から出力された付加情報の中にあるＴＳＰカウンタ値と抽出ＴＳＰテーブル選択制御部１７から出力された抽出ＴＳＰテーブルを参照して、ヌルパケットを生成してＴＳＰ出力制御部１９に出力する。
【００５６】
ＴＳＰ出力制御部１９は、付加情報抽出部１６から出力された付加情報の中にあるＴＳＰカウンタ値を基に、ＴＳＰバッファ１６からの圧縮放送ＴＳにおけるＴＳＰを読み出しＮｕｌｌ＿ＴＳＰ生成部１８からのヌルパケットを挿入して放送ＴＳを復元する。
【００５７】
これにより６．１０Ｍｂｐｓ（＝５１２／６３／４×３Ｍｂｐｓ）の圧縮放送ＴＳが８．１２Ｍｂｐｓ（＝５１２／６３Ｍｂｐｓ）の放送ＴＳへ変換される。
【００５８】
以上により、本実施形態のＳＴＬ／ＴＴＬ回線用受信装置１０は、複数種のセグメント形式の放送ＴＳについて所定のセグメント数以下で任意に連結し合成した連結合成ＴＳをＳＴＬ／ＴＴＬ回線にて受信する際に、圧縮放送ＴＳを含む連結合成ＴＳを分離し、この圧縮放送ＴＳのＴＳＰカウンタ値を監視して、圧縮放送ＴＳの伝送パラメータに応じて予め定められたＴＳＰカウンタ値のヌルパケットを挿入することにより当該圧縮放送ＴＳについてデータ伸長を施して元の放送ＴＳを復元する。
【００５９】
以上の構成により、３セグメント形式の放送ＴＳを４個、１セグメント形式の放送ＴＳを２個で構成されたＶＨＦ‐Ｌｏｗ帯マルチメディア放送の連結合成ＴＳを地上デジタルテレビジョン放送のＳＴＬ／ＴＴＬの１回線で伝送することができる。
【００６０】
〔第２実施形態〕
次に、本発明による第２実施形態のＳＴＬ／ＴＴＬ回線用送信装置１及びＳＴＬ／ＴＴＬ回線用受信装置１０について説明する。第１実施形態では、抽出ＴＳＰテーブルを伝送パラメータごとに設定したため、１０８個の表が必要となった。第２実施形態では遅延時間の増加を最低限にしながら、抽出ＴＳＰテーブルの表の数を１２個（モード・ガードインターバル比の組み合わせのみ）に抑える抽出ＴＳＰテーブルを利用する例について説明する。尚、ＳＴＬ／ＴＴＬ回線用送信装置１とＳＴＬ／ＴＴＬ回線受信装置１０の構成は第１実施形態と同じであるため、モード３、ガードインターバル１／８を例に、抽出ＴＳＰテーブルの表の数を低減させる伝送パラメータに応じた抽出ＴＳＰテーブルの作成方法について述べる。
【００６１】
（第２実施形態における伝送パラメータに応じた抽出ＴＳＰテーブルの作成方法）
具体的に、抽出ＴＳＰテーブル格納部８ａに予め格納しておく伝送パラメータに応じた抽出ＴＳＰテーブルの作成方法について述べる。第１実施形態と同様に、削除するＴＳＰとして、遅延量を短くすることを鑑みて、ＴＳＰカウンタ値が４ｎ，４ｎ＋１，４ｎ＋２，４ｎ＋３（ｎ：正の整数）の４通りのうちのいずれかを持つＴＳＰを基準に削除対象のＴＳＰとすることが考えられる。これら４通りの削除基準のＴＳＰカウンタ値のそれぞれについて、削除するＴＳＰカウンタ値のＴＳＰの種類を確認していくことで、４通りの削除基準のうち最小の遅延量となるものを事前に決定することができる。
【００６２】
このとき、同じモード・ガードインターバル比の組み合わせを持つ伝送パラメータは、Ａ／Ｂ階層の変調方式・内符号の組み合わせがそれぞれ３通りあるため、９通り存在する。そこで、同じＴＳＰカウンタ値を持つ９個のＴＳＰの種類について確認していく。図１０にＴＳＰカウンタ値が０から３９のＴＳＰの種類を示す。削除対象となるＴＳＰカウンタ値のＴＳＰのうち、１つでもＡ階層・Ｂ階層のＴＳＰが存在する場合には次のＴＳＰカウンタ値のＴＳＰを削除することとする（例：図１０におけるＴＳＰカウンタ値＝５）。さらに続くＴＳＰについてもＡ階層、もしくはＢ階層のＴＳＰがある場合、さらに次のＴＳＰカウンタ値のＴＳＰとし、これを繰り返す。例えば図１０におけるＴＳＰカウンタ値＝２０の場合は３パケットシフトしたＴＳＰカウンタ値＝２３のヌルパケットを削除することとする。
【００６３】
このようにＴＳＰカウンタ値をシフトすることでヌルパケットのみを削除対象とすることができるが、第１実施形態と同様に、シフトするＴＳＰ量の最大値がＴＳバッファの大きさとなり、そのまま遅延量となる。そのため、４通りのＴＳＰカウンタ値のうち、シフトするＴＳＰ量が最小となるものを選ぶ。モード３、ガードインターバル１／８の場合、４ｎ、４ｎ＋１、４ｎ＋２については遅延量が３パケット分となるのに対して、４ｎ＋３を基本として抽出ＴＳＰテーブルを作成すれば、遅延量が２パケット分とすることができる。
【００６４】
以上の要領で、抽出ＴＳＰテーブルの表の数を削減した状態で、第１実施形態のＳＴＬ／ＴＴＬ回線用送信装置１及びＳＴＬ／ＴＴＬ回線用受信装置１０のときと同様の動作を実現することができる。
【００６５】
次に、本発明による第１実施形態又は第２実施形態のＳＴＬ／ＴＴＬ回線用送信装置１及びＳＴＬ／ＴＴＬ回線用受信装置１０において、３セグメント形式がｍ個、１セグメント形式がｋ個で構成される場合のヌルパケットの挿入によるレート調整について説明する。前述と同様に３セグメント形式の放送ＴＳがデータ圧縮部２で圧縮放送ＴＳへと変換され、合成部３に入力される３セグメント形式の圧縮放送ＴＳと１セグメント形式の放送ＴＳの伝送速度の合計は、５１２／６３／４×（３ｍ＋ｋ）Ｍｂｐｓとなる。ここで３ｍ＋ｋは伝送セグメント数と等しい。そこで、合成部３において、地上デジタルテレビジョン放送の放送ＴＳと同じ伝送速度とするには、伝送速度を１６／（３ｍ＋ｋ）倍となるように、つまり、３ｍ＋ｋ個のＴＳＰにつき１６−３ｍ−ｋ個のヌルパケットを挿入する。これにより、任意のセグメント構造で一定の伝送速度の連結合成ＴＳを伝送することが可能となる。
【００６６】
以上、特定の実施形態を挙げて本発明を説明したが、本発明は前述の各実施形態に限定されるものではなく、その技術思想を逸脱しない範囲で種々変形可能である。例えば、上述の各実施形態では、ＳＴＬ／ＴＴＬ回線用送信装置１及びＳＴＬ／ＴＴＬ回線用受信装置１０において、圧縮放送ＴＳとして抽出するＴＳＰのＴＳＰカウンタ値（即ち、放送ＴＳにおける削除しないＴＳＰのＴＳＰカウンタ値）を示す抽出ＴＳＰテーブルを作成して保持する例を説明したが、この代わりに、圧縮放送ＴＳとして構成するために削除するＴＳＰのＴＳＰカウンタ値を示す抽出ＴＳＰテーブルを作成して保持するようにしてもよい。
【産業上の利用可能性】
【００６７】
本発明によれば、複数種のセグメント形式の放送ＴＳについて所定のセグメント数以下で任意に連結し合成した伝送信号、例えば１４個以下のセグメントで連結されたマルチメディア放送の伝送信号において、セグメント構成（１セグメント形式か３セグメント形式）によらず、所定の伝送速度（例えば３２．５１Ｍｂｐｓ（＝５１２／６３×４Ｍｂｐｓ））以下で連結合成ＴＳを構成することができるので、地上デジタルテレビジョン放送と同様のＳＴＬ／ＴＴＬ回線を利用する用途に有用である。
【符号の説明】
【００６８】
１  ＳＴＬ／ＴＴＬ回線用送信装置
２  データ圧縮部
３  合成部
４  ＳＴＬ／ＴＴＬ用伝送路符号化部
５  ＲＦ送信部
６  ＴＳＰバッファ
７  付加情報抽出部
８  抽出ＴＳＰテーブル選択制御部
８ａ  抽出ＴＳＰテーブル格納部
９  ＴＳＰ抽出部
１０  ＳＴＬ／ＴＴＬ回線用受信装置
１１  ＲＦ受信部
１２  ＳＴＬ／ＴＴＬ用伝送路復号部
１３  分離部
１４  データ伸長部
１５  ＴＳＰバッファ
１６  付加情報抽出部
１７  抽出ＴＳＰテーブル選択制御部
１７ａ  抽出ＴＳＰテーブル格納部
１８  Ｎｕｌｌ＿ＴＳＰ生成部
１９  ＴＳＰ出力制御部
【図１】
0006038605.tif 000002
【図２】
0006038605.tif 000003
【図３】
0006038605.tif 000004
【図４】
0006038605.tif 000005
【図５】
0006038605.tif 000006
【図６】
0006038605.tif 000007
【図７】
0006038605.tif 000008
【図８】
0006038605.tif 000009
【図９】
0006038605.tif 000010
【図１０】
0006038605.tif 000011